(57)【要約】【課題】風荷重などに対する強度及び剛性を高めつつ、壁高欄の遊間部の伸縮に追随することができると共に、長寿命化を図ることのできる壁高欄用伸縮カバーの提供。【解決手段】シート状のカバー本体５に遊間部４の伸縮方向に連続する補強材６を埋設する。壁高欄用伸縮カバー１を伸縮方向と直交する山折り線Ｌ１及び谷折り線Ｌ２を有するジグザグ状に形成する。伸縮方向における両端部７ａ、７ｂを、遊間部４を挟んで両側の壁高欄３ａ、３ｂに固定する。壁高欄用伸縮カバー１が壁高欄３ａ、３ｂの遊間部４を覆う。【選択図】  図１
2015083765.tif 000002
【特許請求の範囲】
【請求項１】
壁高欄の遊間部を覆う壁高欄用伸縮カバーであって、シート状のカバー本体に前記遊間部の伸縮方向に連続する補強材を埋設してなり、前記伸縮方向における両端部が遊間部を挟んで両側の壁高欄に固定され、前記伸縮方向と直交する山折り線及び谷折り線を有するジグザグ状に形成されたことを特徴とする壁高欄用伸縮カバー。
【請求項２】
前記補強材は、伸縮方向と直交する方向に間隔をあけて並設された複数枚の板材とされたことを特徴とする請求項１に記載の壁高欄用伸縮カバー。
【請求項３】
前記補強材は、前記山折り線と前記谷折り線との間に、当該補強材をその板面と直交する方向に変形させてなる補強部が形成されたことを特徴とする請求項２に記載の壁高欄用伸縮カバー。
【請求項４】
前記山折り線及び谷折り線と交差する方向に横折り部が形成され、該横折り部を挟んで両側の山折り線と谷折り線とが連続して形成されたことを特徴とする請求項１、２又は３に記載の壁高欄用伸縮カバー。
【発明の詳細な説明】
【技術分野】
【０００１】
本発明は、例えば道路橋の端部に設けられた壁高欄の遊間部を覆う壁高欄用伸縮カバーに関するものである。
【背景技術】
【０００２】
一般に、道路橋の側部には、路面からの物の落下や、走行車両による雨水の飛沫の落下などを防止するための壁高欄が設けられている。壁高欄の端部には、温度変化よる橋桁の伸縮や走行車両による橋桁の撓みなどに起因する橋軸方向の変位を吸収するための隙間を形成した遊間部が設けられ、さらに、この遊間部には、その隙間からの物や雨水の飛沫の落下などを防止する壁高欄用伸縮カバーが設けられている（例えば特許文献１）。
【０００３】
図９に示すように、特許文献１の壁高欄用伸縮カバーは、加硫ゴム１０１に金属板１０２を埋設した構造とされ、その一方の端部を壁高欄１０３に取付ボルト１０４で固定すると共に、他方の端部をフリー状態で壁高欄１０５に重ねて、壁高欄１０３と壁高欄１０５との間の遊間部を塞ぐようにしている。
【先行技術文献】
【特許文献】
【０００４】
【特許文献１】特開２００８−７９５６号公報（段落番号０００８、００１５、図２）
【発明の概要】
【発明が解決しようとする課題】
【０００５】
ところで、特許文献１の壁高欄用伸縮カバーは、金属板を埋設した構造とされると共に、他方の端部をフリー状態で壁高欄に重ねて設置されるので、風荷重などに対する強度及び剛性を高めつつ、壁高欄に重ねた部位をスライドさせて遊間部の伸縮に追随することができる。
【０００６】
しかしながら、壁高欄に対するスライドが繰り返されることにより、壁高欄用伸縮カバーが摩耗損傷するおそれがあり、特に、走行車両による橋桁の撓みに起因する遊間部の伸縮は、その繰り返し数が多く、壁高欄用伸縮カバーの摩耗損傷を生じさせやすい。さらに、金属板で補強された剛性の高い壁高欄用伸縮カバーが風荷重を受けて壁高欄に押し付けられた状態で、遊間部の伸縮が繰り返されることにより、壁高欄に重ねた部位のスライドの繰り返しによる摩耗損傷が促進されて、壁高欄用伸縮カバーの製品寿命を短くするおそれがある。
【０００７】
本発明は、風荷重などに対する強度及び剛性を高めつつ、壁高欄の遊間部の伸縮に追随することができると共に、長寿命化を図ることのできる壁高欄用伸縮カバーの提供を目的とする。
【課題を解決するための手段】
【０００８】
上記目的を達成するために、本発明に係る壁高欄用伸縮カバーは、壁高欄の遊間部を覆うものであり、シート状のカバー本体に遊間部の伸縮方向に連続する補強材を埋設してなり、伸縮方向における両端部を、遊間部を挟んで両側の壁高欄に固定し、伸縮方向と直交する山折り線及び谷折り線を有するジグザグ状に形成したものである。
【０００９】
上記構成によれば、シート状のカバー本体に補強材を埋設するので、風荷重などの壁高欄の正面から受ける力に対する壁高欄用伸縮カバーの強度及び剛性を高めることができる。しかも、壁高欄用伸縮カバーをジグザグ状に形成するので、風荷重などに対する所望の強度及び剛性を確保しつつ、そのジグザグの中心線方向に容易に伸縮させることができる。これにより、壁高欄用伸縮カバーを遊間部の両側の壁高欄に固定して、壁高欄に対してスライドさせることなく、遊間部の伸縮に追随させることができ、壁高欄用伸縮カバーの長寿命化を図ることができる。
【００１０】
また、補強材を伸縮方向と直交する方向に間隔をあけて並設した複数枚の板材とするようにしてもよい。
【００１１】
この構成によれば、補強材としての板材の１枚当たりの強度及び剛性とその枚数を適宜設定することにより、壁高欄用伸縮カバーの全体をその前後方向及び伸縮方向に所望の強度及び剛性に設定することができる。これにより、風荷重などに対する十分な強度及び剛性を確保しつつ、壁高欄用伸縮カバーを遊間部の大きさに合わせて伸縮方向に人力で変形させることができ、壁高欄用伸縮カバーの設置作業を容易にすることができる。
【００１２】
また、補強材の山折り線と谷折り線との間に、この補強材をその板面と直交する方向に変形させてなる補強部を形成するようにしてもよい。
【００１３】
この構成によれば、山折り線と谷折り線との間で、補強材としての板材をその板面と直交する方向に変形させて補強部を形成するので、壁高欄用伸縮カバーの伸縮方向の剛性を高めることなく、風荷重などの壁高欄の正面から受ける力に対する強度及び剛性を高めることができる。
【００１４】
また、山折り線及び谷折り線と交差する方向に横折り部を形成し、この横折り部を挟んで両側の山折り線と谷折り線とを連続して形成するようにしてもよい。
【００１５】
この構成によれば、横折り部でその両側の山折り線と谷折り線とを連続させるので、余分な皺を生じることなく、ジグザグ状の壁高欄用伸縮カバーを横折り部の位置で無理なく折り曲げることができる。これにより、壁高欄用伸縮カバーを折り曲げて、例えばＬ形に形成することができ、１枚の壁高欄用伸縮カバーで壁高欄の遊間部の上面側及び正面側を覆うことができる。しかも、山折り線と谷折り線とを連続させることにより、横折り部では、その両側の山折り部と谷折り部とが混在するので、外力に対する弱点部となりやすい例えばＬ形のコーナー部の強度及び剛性を高めることができる。
【発明の効果】
【００１６】
以上のとおり、本発明によると、シート状のカバー本体に補強材を埋設して壁高欄用伸縮カバーを構成すると共に、この壁高欄用伸縮カバーをジグザグ状に形成するようにしている。これにより、風荷重などに対する壁高欄用伸縮カバーの強度及び剛性を高めると共に、壁高欄用伸縮カバーを壁高欄の遊間部の伸縮に追随させることができ、壁高欄に対する壁高欄用伸縮カバーのスライドを不要にして、壁高欄用伸縮カバーの長寿命化を図ることができる。
【図面の簡単な説明】
【００１７】
【図１】本発明に係る壁高欄用伸縮カバーを設置した壁高欄の斜視図
【図２】壁高欄用伸縮カバーの斜視図
【図３】壁高欄用伸縮カバーの正面図
【図４】壁高欄用伸縮カバーの平面図
【図５】補強部の正面図
【図６】壁高欄用伸縮カバーを設置する前の壁高欄の斜視図
【図７】図５のＡ−Ａ断面図
【図８】本発明に係る別形態の壁高欄用伸縮カバーを設置した壁高欄の斜視図
【図９】従来の壁高欄用伸縮カバーを設置した壁高欄の斜視図
【発明を実施するための形態】
【００１８】
以下、本発明に係る壁高欄用伸縮カバーを実施するための形態について、図面を用いて説明する。
【００１９】
図１〜図５に示すように、壁高欄用伸縮カバー１は、例えば道路橋２ａ、２ｂの側部に位置する壁高欄３ａ、３ｂの間の遊間部４を覆うものであり、シート状のカバー本体５に、遊間部４の伸縮方向に連続する補強材６を埋設してなり、伸縮方向と直交する山折り線Ｌ１及び谷折り線Ｌ２を有するジグザグ状に形成されると共に、伸縮方向における両端部７ａ、７ｂが遊間部４を挟んで両側の壁高欄３ａ、３ｂに固定されている。
【００２０】
道路橋２ａ、２ｂは、車両が走行する路面部８の側方に壁高欄３ａ、３ｂを設けた構造とされ、道路橋２ａ、２ｂが橋軸方向に並設されて、全体として１つの橋梁を構成している。道路橋２ａと道路橋２ｂとの間には、その路面部８に伸縮装置９が設けられ、両者間の遊間に車両の走行を阻害されることなく、温度変化よる伸縮や走行車両による路面部８の撓みなどに起因する路面部８の変位を吸収するようになっている。
【００２１】
図６に示すように、壁高欄３ａ、３ｂは、道路橋２ａ、２ｂの側部に設けられて、路面部８からの物の落下や、走行車両による雨水の飛沫の落下などを防止するためのものであり、その端部に設定された遊間部４が、温度変化よる伸縮や走行車両による路面部８の撓みなどに起因する壁高欄３ａ、３ｂの変位を吸収するようになっている。
【００２２】
図７に示すように、カバー本体５は、例えば、ナイロン製やポリエステル製の基布にクロロプレンゴムを含浸させてなる２枚の引布１０を貼り合わせた構造とされ、２枚の引布１０の間に補強材６を挟んで接着、縫製することにより、カバー本体５に補強材６が埋設される。
【００２３】
カバー本体５とこれに埋設した補強材６とは、ジグザグ状に折り曲げられて、山折り線Ｌ１と谷折り線Ｌ２とを形成され、これにより、ジグザグ状の壁高欄用伸縮カバー１が構成される。さらに、ジグザグ状に形成した壁高欄用伸縮カバー１は、その２枚を縫合するなどしてＬ形に構成され、壁高欄３ａ、３ｂの遊間部４の上面側及び正面側を覆うようになっている。
【００２４】
補強材６は、例えばステンレス製の複数枚の板材とされて、伸縮方向と直交する方向に間隔をあけて並設され、各補強材６の山折り線Ｌ１と谷折り線Ｌ２との間で、その補強材６を板面と直交する方向に変形させることにより、正面側に突出する略長方形の補強部１１が形成されている。この補強部１１は、例えば、カバー本体５に補強材６を埋設した後で、山折り線Ｌ１及び谷折り線Ｌ２を形成する前に絞り加工を施して形成される。
【００２５】
両端部７ａ、７ｂは、壁高欄３ａ、３ｂと平行な面に形成され、この両端部７ａ、７ｂのうちの補強材６の位置する部位に、壁高欄用伸縮カバー１を壁高欄３ａ、３ｂにボルト止めするための長孔状の取付穴１２が形成されている。両端部７ａ、７ｂをフラットバー１３で押えつつ、壁高欄３ａ、３ｂにセットしたボルト１４が取付穴１２を貫通するように位置決めし、ボルト１４を締め付けることにより、壁高欄用伸縮カバー１が壁高欄３ａ、３ｂの遊間部４に装着される。
【００２６】
上記構成によれば、壁高欄用伸縮カバー１で壁高欄３ａ、３ｂの間の遊間部４を覆うので、遊間部４の隙間から物や、走行車両による雨水の飛沫が落下するのを防止することができる。
【００２７】
また、壁高欄用伸縮カバー１に補強材６を埋設するので、壁高欄用伸縮カバー１を風荷重などに対して十分な強度及び剛性に設定することができ、しかも、壁高欄用伸縮カバー１をジグザグ状に形成するので、遊間部４の伸縮に追随させることができる。これにより、壁高欄用伸縮カバー１を壁高欄３ａ、３ｂに対してスライドさせる必要がなく、壁高欄用伸縮カバー１の摩耗損傷を防止して長寿命化を図ることができる。
【００２８】
さらに、壁高欄用伸縮カバー１をジグザグ状に形成しているので、遊間部４の伸縮方向に容易に変形させることができ、壁高欄用伸縮カバー１を遊間部４の大きさに合わせて人力で変形させて壁高欄３ａ、３ｂに取り付けることができる。
【００２９】
なお、本発明は、上記の実施の形態に限定されるものではなく、本発明の範囲内において、適宜変更を加えることができる。例えば、２枚を縫合するなどしてＬ形に構成した壁高欄用伸縮カバー１に代えて、図８に示すように、１枚のカバーをジグザグ状かつＬ形に折り曲げ形成した壁高欄用伸縮カバー１５を採用することもできる。
【００３０】
壁高欄用伸縮カバー１５は、上記形態の壁高欄用伸縮カバー１とほぼ同じ構成であるが、山折り線Ｌ１及び谷折り線Ｌ２と交差する方向に横折り部１６を設定した構造とされ、この横折り部１６を挟んで両側の山折り線Ｌ１と谷折り線Ｌ２とが連続するよう形成されている。これにより、壁高欄用伸縮カバー１５は、余分な皺を生じることなく、無理なくＬ形に形成され、１枚の壁高欄用伸縮カバー１５で、壁高欄３ａ、３ｂの遊間部４の上面側及び正面側を覆うことができる。
【００３１】
横折り部１６は、補強材６の間のカバー本体５の任意の位置に設定することができ、壁高欄３ａ、３ｂの形状に合わせて、壁高欄用伸縮カバー１５の形状を設定することができる。この横折り部１６の位置では、山折り部と谷折り部とが混在しており、補強材６が存在せず、かつ外力に対する弱点部となりやすいＬ形のコーナー部の強度及び剛性を高めている。
【００３２】
また、補強材６は、所望の強度及び剛性を得ることができ、かつジグザグ状に形成できるものであれば、複数枚の板材に限らず、１枚の板材であってもよく、均等な間隔で配置した多数の線材であってもよい。
【符号の説明】
【００３３】
１          壁高欄用伸縮カバー
２ａ、２ｂ  道路橋
３ａ、３ｂ  壁高欄
４          遊間部
５          カバー本体
６          補強材
７ａ、７ｂ  両端部
８          路面部
９          伸縮装置
１０        引布
１１        補強部
１２        取付穴
１３        フラットバー
１４        ボルト
１５        壁高欄用伸縮カバー
１６        横折り部
Ｌ１        山折り線
Ｌ２        谷折り線
【図１】
2015083765.tif 000003
【図２】
2015083765.tif 000004
【図３】
2015083765.tif 000005
【図４】
2015083765.tif 000006
【図５】
2015083765.tif 000007
【図６】
2015083765.tif 000008
【図７】
2015083765.tif 000009
【図８】
2015083765.tif 000010
【図９】
2015083765.tif 000011